(57)【要約】【課題】移動式収納キャビネットにおける物品搭載量を増大させるとともに、使い勝手を高める。【解決手段】移動式収納キャビネット１０は、内部に物品を収容可能であるとともに、移動可能とされたなキャビネット本体１１と、キャビネット本体１１の上部に設けられ、キャビネット本体１１の天面１５に沿う板状の底部２０ａ、および底部２０ａの外周部から上方に向かって立ち上がり、底部２０ａの外周部の全周を囲う外周壁部２１を一体に備えた天板トレー２０と、を備え、天板トレー２０の外周側に張り出すようにオプション部材２００が装着可能とされ、オプション部材２００は、外周壁部２１に着脱可能に係止される係止部２１２と、係止部２１２に支持され、物品を保持可能な物品保持部２１３と、を備える。【選択図】図３
2016087018.tif 000002
【特許請求の範囲】
【請求項１】
内部に物品を収容可能であるとともに、移動可能とされたキャビネット本体と、
前記キャビネット本体の上部に設けられ、前記キャビネット本体の天面に沿う板状の底部、および前記底部の外周部から上方に向かって立ち上がり、前記底部の外周部の全周を囲う外周壁部を一体に備えた天板トレーと、を備え、
前記天板トレーの外周側に張り出すようにオプション部材が装着可能とされ、
前記オプション部材は、前記外周壁部に着脱可能に係止される係止部と、前記係止部に支持され、物品を保持可能な物品保持部と、を備えることを特徴とする移動式収納キャビネット。
【請求項２】
前記天板トレーに対して着脱可能とされ、前記天板トレーの前記外周壁部の内方の空間を複数に仕切る仕切部材、をさらに備え、
前記仕切部材は、前記外周壁部にそれぞれ係止される一対のフック部と、一対の前記フック部同士を連結し、一対の前記フック部間で前記外周壁部の内方の空間を仕切る仕切部と、を一体に備えることを特徴とする請求項１に記載の移動式収納キャビネット。
【請求項３】
前記オプション部材は、前記係止部と前記物品保持部との間に、前記外周壁部および前記キャビネット本体の外周面の少なくとも一方に沿うベース部をさらに備えることを特徴とする請求項１または２に記載の移動式収納キャビネット。
【請求項４】
前記キャビネット本体の内部に、物品を収容可能な物品収容トレーを保持するトレー保持部が、上下方向に間隔をあけて複数設けられていることを特徴とする請求項１から３のいずれか一項に記載の移動式収納キャビネット。
【請求項５】
前記物品が、医療用または介護用の物品であることを特徴とする請求項１から４のいずれか一項に記載の移動式収納キャビネット。
【発明の詳細な説明】
【技術分野】
【０００１】
本発明は、移動式収納キャビネットに関する。
【背景技術】
【０００２】
医療施設や介護施設等において、医薬品、医療材料、医療機器、リネン類等の物品は、それぞれ、倉庫や収納庫等の保管場所から、診察室、処置室、病室等の使用場所に運搬される。また、使用後の各種物品は、回収され、元の保管場所に戻されたり、所定の処理方法で廃棄等の処理が行われる。
【０００３】
特許文献１には、医療施設や介護施設等において、上記のような物品を運搬するためのナースカートとして、移動可能な脚ベースと、脚ベース上に設けられた支柱と、支柱上に設けられた天板とを備えた構成が開示されている。このような構成において、支柱の側面に、物品を収容できるオプション部材を設けることで、物品搭載量を増大させるとともに、天板上とオプション部材とで複数の物品を区分して収納することができる。
【０００４】
ところで、前記したような各種の物品は、保管場所や管理部署が異なることがある。そこで、それぞれの保管場所や管理部署で物品の準備を行い、看護スタッフや介護スタッフが、準備された物品を集めてから使用場所に運搬していた。
このような、施設内における物品の流れ（物流）を効率化するため、施設内における物品の管理や物流の一元化を図るＳＰＤ（Supply Processing & Distribution）と称される院内物流システムが提案されている。
【０００５】
上記したような院内物流システムにおいては、寸法が規格化されたトレーを用い、物品を運搬することが提案されている。例えば、保管場所や管理部署ごとに、それぞれトレーに物品を収納して準備し、これら複数のトレーを一つにキャビネットに収容し、使用場所まで運搬する。
このように複数のトレーを収容するキャビネットは、手で押して移動させたり、各所に止めた状態で使用する。このため、キャビネットが高すぎると、移動の際の安定性が低くなったり、物品の出し入れがしにくくなる。そこで、このようなキャビネットは、例えば０．９〜１．３ｍ前後の高さとされるのが一般的である。
【先行技術文献】
【特許文献】
【０００６】
【特許文献１】特開２０１４−１８３８４号公報
【発明の概要】
【発明が解決しようとする課題】
【０００７】
しかしながら、前記したようにキャビネットの高さが抑えられているため、運搬できる物品容量が限られる。また、キャビネットの使い勝手を高めることが常に求められている。
そこでなされた本発明の目的は、物品搭載量を増大させるとともに、使い勝手を高めることができる移動式収納キャビネットを提供することである。
【課題を解決するための手段】
【０００８】
本発明は、上記課題を解決するため、以下の手段を採用する。
この発明に係る移動式収納キャビネットは、内部に物品を収容可能であるとともに、移動可能とされたキャビネット本体と、前記キャビネット本体の上部に設けられ、前記キャビネット本体の天面に沿う板状の底部、および前記底部の外周部から上方に向かって立ち上がり、前記底部の外周部の全周を囲う外周壁部を一体に備えた天板トレーと、を備え、前記天板トレーの外周側に張り出すようにオプション部材が装着可能とされ、前記オプション部材は、前記外周壁部に着脱可能に係止される係止部と、前記係止部に支持され、物品を保持可能な物品保持部と、を備えることを特徴とする。
【０００９】
このように、キャビネット本体上に天板トレーを設けることで、キャビネット本体内に加え、天板トレー上にも物品を載せて保持することができる。しかも、天板トレーは、外周壁部を有しているので、天板トレー上から物品が落下するのを抑えることができる。
さらに、天板トレーの底部と外周壁部とを一体に形成することで、天板トレー上に液体が入った容器等を載せた場合、液体が零れたとしても、液体は底部上で外周壁部の内側の領域にとどまり、キャビネット本体にこぼれ落ちるのを防止することができる。
また、キャビネット本体内と、天板上とに物品を搭載することで、キャビネット本体の内部と外部とで物品を区分して運搬することも可能となる。
また、天板トレーの外周側に張り出すようにオプション部材が装着可能とされることで、キャビネット本体内と天板トレー上とに加えて、天板トレーの外周側に装着したオプション部材の物品保持部で物品を保持して運搬することが可能となる。これにより、移動式収納キャビネットの外部に搭載して運搬できる物品の量を増大させることができる。
【００１０】
また、この発明に係る移動式収納キャビネットは、上記移動式収納キャビネットにおいて、前記天板トレーに対して着脱可能とされ、前記天板トレーの前記外周壁部の内方の空間を複数に仕切る仕切部材、をさらに備え、前記仕切部材は、前記外周壁部にそれぞれ係止される一対のフック部と、一対の前記フック部同士を連結し、一対の前記フック部間で前記外周壁部の内方の空間を仕切る仕切部と、を一体に備えるようにしてもよい。
このように、天板トレーは仕切部材を備えているので、天板トレー上に物品を載せる際に、仕切部材を挟んで一方の側と他方の側とで物品を区分したり、仕切部材によって天板トレー上で物品がずれるのを抑えることができる。
【００１１】
さらに、この発明に係る移動式収納キャビネットは、上記移動式収納キャビネットにおいて、前記オプション部材は、前記係止部と前記物品保持部との間に、前記外周壁部および前記キャビネット本体の外周面の少なくとも一方に沿うベース部をさらに備えるようにしてもよい。
係止部が天板トレーの外周壁部に係止されたオプション部材は、ベース部が天板トレーの外周壁部やキャビネット本体の外周面に突き当たることで、より安定的に装着される。これによって、物品保持部で保持する物品を、より確実に保持することが可能となる。
【００１２】
また、この発明に係る移動式収納キャビネットは、上記移動式収納キャビネットにおいて、前記キャビネット本体の内部に、物品を収容可能な物品収容トレーを保持するトレー保持部が、上下方向に間隔をあけて複数設けられているようにしてもよい。
このように構成することで、移動式収納キャビネット内に、物品を収容した物品収容トレーを複数収納することができる。
【００１３】
また、この発明に係る移動式収納キャビネットは、上記移動式収納キャビネットにおいて、前記物品が、医療用または介護用の物品であるようにしてもよい。
このように構成することで、医療施設や介護施設等において、医療用または介護用の物品を運搬する際に、移動式収納キャビネットへの物品搭載量を増大させるとともに、物品を必要に応じて分別して搭載して運搬することができる。
【発明の効果】
【００１４】
この発明に係る移動式収納キャビネットによれば、物品搭載量を増大させるとともに、使い勝手を高めることが可能となる。
【図面の簡単な説明】
【００１５】
【図１】この発明の実施形態に係る移動式収納キャビネットの全体構成を示す斜視図である。
【図２】上記移動式収納キャビネットの上部の構成を示す斜視図である。
【図３】天板トレーの外周部にオプション部材として収納ボックスを装着した構成の例を示す斜視図である。
【図４】天板トレーの外周部にオプション部材として物品掛止部材を装着した構成の例を示す斜視図である。
【図５】天板トレーの外周部にオプション部材として袋体係止部材を装着した構成の例を示す斜視図である。
【発明を実施するための形態】
【００１６】
以下、添付図面を参照して、本発明による移動式収納キャビネットを実施するための形態を説明する。しかし、本発明はこの実施形態のみに限定されるものではない。
【００１７】
図１は、この発明の実施形態に係る移動式収納キャビネットの全体構成を示す斜視図である。図２は、上記移動式収納キャビネットの上部の構成を示す斜視図である。
この図１に示すように、収納キャビネット（移動式収納キャビネット）１０は、キャビネット本体１１と、天板トレー２０と、を備えている。
収納キャビネット１０は、医療施設や介護施設等において、医療用または介護用の物品を運搬する際に使用されるものである。
【００１８】
キャビネット本体１１は、底板部１２と、側板部１３，１３と、背板部１４と、天板部（天面）１５と、を一体に備えている。
底板部１２は、平面視矩形をなしている。側板部１３，１３は、底板部１２において互いに対向する二辺から鉛直上方に向けて延びるよう設けられている。背板部１４は、底板部１２において、側板部１３，１３の一端１３ａ，１３ａ側に位置する端部から鉛直上方に向けて延びるよう設けられている。この背板部１４は、側板部１３，１３の一端１３ａ，１３ａの間を塞ぐ。天板部１５は、平面視矩形状で、側板部１３，１３および背板部１４上に設けられている。
このようにして、キャビネット本体１１は、底板部１２と、側板部１３，１３と、背板部１４と、天板部１５とに囲まれた収容空間Ｓを備えている。また、キャビネット本体１１は、側板部１３，１３の他端１３ｂ，１３ｂ側に、背板部１４に対向する側に向けて開口する開口部１６を有している。
【００１９】
キャビネット本体１１は、さらに、開口部１６を閉塞可能なシャッター１７を備えている。シャッター１７は、キャビネット本体１１内に巻き上げ可能で、開口部１６を開閉可能とされている。
【００２０】
キャビネット本体１１において、側板部１３，１３の内側面１３ｃ，１３ｃには、それぞれ、上下方向に間隔をあけて複数のガイドレール（トレー保持部）１３ｇが設けられている。各ガイドレール１３ｇは、側板部１３の一端１３ａ側と他端１３ｂ側とを結ぶ方向に延びている。
【００２１】
図２に示すように、キャビネット本体１１の収容空間Ｓ内には、物品収容トレー１００が収容できるようになっている。物品収容トレー１００は、上方に開口した有底状のトレー部１０１を備えている。トレー部１０１の外周部において、互いに対向する二辺に沿って、外方に向けて突出する被ガイド部１０２を一体に備えている。このような物品収容トレー１００は、両側の被被ガイド部１０２，１０２をガイドレール１３ｇ，１３ｇ上に載せ、ガイドレール１３ｇ，１３ｇに沿って移動させることで、キャビネット本体１１の開口部１６を通して収容空間Ｓ内への出し入れが自在となっている。
【００２２】
図１に示すように、キャビネット本体１１は、底板部１２の下面の四隅にキャスター１８を備えている。それぞれのキャスター１８は、床面上で走行移動可能な車輪１８ｒを備えている。これらキャスター１８により、キャビネット本体１１は、床面上で走行移動可能となっている。
また、キャスター１８は、車輪１８ｒをロックするロック機構（図示無し）を備えている。このロック機構（図示無し）をロックすることで、収納キャビネット１０を、床面上の任意の位置に静止させることができるようになっている。
【００２３】
図２に示すように、キャビネット本体１１の側板部１３，１３には、それぞれキャビネット本体１１の外方を向く外側面１３ｄに、把手１９（図１においては図示略）を設けられている。使用者は、キャスター１８のロック機構（図示無し）を解除した状態で、把手１９を手で掴み、収納キャビネット１０を、水平方向に沿って押すことで、収納キャビネット１０を床面上で移動自在とされている。
【００２４】
天板トレー２０は、キャビネット本体１１の天板部１５上に載置されている。天板トレー２０は、図示しないブラケットやボルト等によって、天板部１５上に一体に固定されている。
天板トレー２０は、平面視矩形状で、天板部１５上と平行な底部２０ａと、底部２０ａの外周部から上方に立ち上がる立ち上がり壁部２０ｂと、外周壁部２１の上端部から下方に折り返されて下方に垂下する垂下壁部２０ｃと、を一体に備えている。これら立ち上がり壁部２０ｂと垂下壁部２０ｃとにより、底部２０ａの外周部全周を取り囲む断面逆Ｕ字状の外周壁部２１が形成されている。
【００２５】
天板トレー２０には、仕切部材３０が装着可能とされている。仕切部材３０は、天板トレー２０の外周壁部２１において、互いに対向する二辺２１ａ，２１ａ間に設けられる。仕切部材３０は、その両端部に設けられたフック部３１，３１と、フック部３１，３１間に設けられた仕切部３２および基部３３と、を一体に備えている。
【００２６】
各フック部３１は、天板トレー２０の底部２０ａから外周壁部２１の内周面を形成する立ち上がり壁部２０ｂに沿って立ち上がるベース部３１ａと、ベース部３１ａから天板トレー２０の外側に向かって湾曲し、外周壁部２１の頂部２１ｔに沿う湾曲部３１ｂと、湾曲部３１ｂから垂下し、外周壁部２１の外周面を形成する垂下壁部２０ｃに沿って垂下する外側爪部３１ｃと、を一体に備えている。
【００２７】
仕切部３２は、フック部３１，３１のベース部３１ａ，３１ａどうしを結び、天板トレー２０の底部２０ａに直交する面内に位置するように設けられている。この仕切部３２は、天板トレー２０の外周壁部２１とほぼ同じ高さを有しており、外周壁部２１において互いに対向する二辺２１ａ，２１ａを結ぶように設けられている。これにより、仕切部３２は、フック部３１，３１間で、天板トレー２０の外周壁部２１に囲まれた空間を仕切る。
【００２８】
基部３３は、仕切部３２の下端から直交して延び、天板トレー２０の底部２０ａに沿うよう設けられている。
【００２９】
このような仕切部材３０は、フック部３１，３１を天板トレー２０の外周壁部２１の二辺２１ａ，２１ａに係止させ、基部３３を天板トレー２０の底部２０ａに沿わせるようにして装着される。これにより、天板トレー２０の底部２０ａ上において、外周壁部２１の内側の空間を、仕切部材３０の仕切部３２によって仕切ることができる。
ここで、仕切部材３０は、フック部３１，３１を天板トレー２０の外周壁部２１に係止させたまま、外周壁部２１の二辺２１ａ，２１ａに沿ってスライドさせて、底部２０ａ上における仕切位置を任意に変更することもできる。
さらに、天板トレー２０上に、複数の仕切部材３０を装着することもできる。
また、不必要時には、フック部３１，３１を外周壁部２１から引き抜き、天板トレー２０上から撤去することもできる。
【００３０】
天板トレー２０の外周壁部２１には、天板トレー２０の外周側に張り出すように、各種のオプション部材２００を装着することができる。
図３は、天板トレーの外周部にオプション部材として収納ボックスを装着した構成の例を示す斜視図である。
例えば、図３に示すように、オプション部材２００としての収納ボックス２１０は、ベース部２１１と、オプション係止部（係止部）２１２と、ボックス部（物品保持部）２１３と、を一体に備える。
【００３１】
ベース部２１１は、板状で、天板トレー２０の外周壁部２１の外周面の垂下壁部２０ｃおよびその下側のキャビネット本体１１の側板部１３の外側面１３ｄに沿うよう設けられる。
【００３２】
オプション係止部２１２は、ベース部２１１の上端部から連続し、天板トレー２０の内方に向かって外周壁部２１の頂部２１ｔに沿って湾曲する湾曲部２１２ａと、湾曲部２１２ａに連続し、外周壁部２１の内周面である立ち上がり壁部２０ｂに沿って垂下する先端爪部２１２ｂと、を一体に備えている。
【００３３】
ボックス部２１３は、ベース部２１１の下端からキャビネット本体１１の外方に向けての延び、キャビネット本体１１の側板部１３に直交する面内に位置する底部２１３ａと、底部２１３ａにおいて、ベース部２１１側を除いた三辺から上方に立ち上がる周壁部２１３ｂと、を備えている。
【００３４】
このような収納ボックス２１０は、オプション係止部２１２を天板トレー２０の外周壁部２１に係止させ、ベース部２１１を天板トレー２０の外周壁部２１の外周面の垂下壁部２０ｃおよびその下側のキャビネット本体１１の側板部１３の外側面１３ｄに沿わせて装着する。
これにより、収納ボックス２１０のボックス部２１３内には、各種の物品を収容することができる。
ここで、ボックス部２１３の深さ、形状等については、いかなるものであってもよい。
【００３５】
図４は、天板トレーの外周部にオプション部材として物品掛止部材を装着した構成の例を示す斜視図である。
例えば、図４に示すように、オプション部材２００としての物品掛止部材２２０は、ベース部２２１と、オプション係止部（係止部）２２２と、掛止部（物品保持部）２２３と、を一体に備える。この物品掛止部材２２０は、棒状材を折り曲げ加工することによって形成されている。
【００３６】
ベース部２２１は、間隔をあけて配置された二本一対で、それぞれ上下方向に延び、天板トレー２０の外周壁部２１の外周面の垂下壁部２０ｃに沿うよう設けられる。
【００３７】
オプション係止部２２２は、各ベース部２２１の上端部から連続し、天板トレー２０の内方に向かって外周壁部２１の頂部２１ｔに沿って湾曲する湾曲部２２２ａと、湾曲部２２２ａに連続し、外周壁部２１の内周面である立ち上がり壁部２０ｂに沿って垂下する爪部２２２ｂと、爪部２２２ｂ，２２２ｂ同士を連結する連結部２２２ｃと、を一体に備えている。
【００３８】
掛止部２２３は、各ベース部２２１の下端からキャビネット本体１１の外方に向かって斜め下方に延びる支持部２２３ａと、両側の支持部２２３ａ，２２３ａどうしを連結し、物品を掛止する掛止バー２２３ｂと、を一体に備えている。
【００３９】
このような物品掛止部材２２０は、両側のオプション係止部２２２，２２２を天板トレー２０の外周壁部２１に係止させ、ベース部２２１，２２１を天板トレー２０の外周壁部２１の外周面の垂下壁部２０ｃに沿わせて装着する。
前記したように物品掛止部材２２０の支持部２２３ａは、キャビネット本体１１の外方に向かって斜め下方に延びている。当該構成により、支持部２２３ａに連結された掛止バー２２３ｂが、天板トレー２０の外周壁部２１に対して、外方に離間した位置に配置されるので、この掛止バー２２３ｂに、タオル、布、ペーパータオル等の物品を掛止させることができる。
【００４０】
図５は、天板トレーの外周部にオプション部材として袋体係止部材を装着した構成の例を示す斜視図である。
例えば、図５に示すように、オプション部材２００としての袋体係止部材２３０は、ベース部２３１と、オプション係止部（係止部）２３２と、係止部（物品保持部）２３３と、袋体固定部材２３４と、を一体に備える。
【００４１】
ベース部２３１は、板状で、天板トレー２０の外周壁部２１の外周面の垂下壁部２０ｃに沿うよう設けられる。
【００４２】
オプション係止部２３２は、ベース部２３１の上端部から連続し、天板トレー２０の内方に向かって外周壁部２１の頂部２１ｔに沿って湾曲する湾曲部２３２ａと、湾曲部２３２ａに連続し、外周壁部２１の内周面である立ち上がり壁部２０ｂに沿って垂下する先端爪部２３２ｂと、を一体に備えている。
【００４３】
係止部２３３は、各ベース部２３１の下端から連続して下方に延びるサポート部２３３ａを備える。サポート部２３３ａは、ベース部２３１の下端に折り曲げ加工によって形成された段部２３３ｋを介して設けられ、キャビネット本体１１の側板部１３の外側面１３ｄに対して間隔をあけて配置されている。
係止部２３３は、上部ベース部２３３ｂと、下部ベース部２３３ｃと、係止段部２３３ｄと、上部斜行部２３３ｅと、下部斜行部２３３ｆと、前端連結部２３３ｇと、を備える。
【００４４】
上部ベース部２３３ｂおよび下部ベース部２３３ｃは、上下方向に間隔をあけて配置され、それぞれ水平方向に延びている。上部ベース部２３３ｂおよび下部ベース部２３３ｃは、それぞれ、サポート部２３３ａにおいてキャビネット本体１１の側板部１３に対向する側に、溶接等によって固定されている。さらに、上部ベース部２３３ｂの両端部には、それぞれ、キャビネット本体１１の側板部１３から離間する方向に折り曲げられて水平方向に延びる上部延長部２３３ｈが設けられている。下部ベース部２３３ｃの両端部には、それぞれ、キャビネット本体１１の側板部１３から離間する方向に折り曲げられて水平方向に延びる下部延長部２３３ｊが設けられている。
【００４５】
係止段部２３３ｄは、上部ベース部２３３ｂの両端それぞれから延びる上部延長部２３３ｈに連続し、キャビネット本体１１の側板部１３から離間する方向に向かって斜め上方に延びるよう設けられている。
【００４６】
上部斜行部２３３ｅは、係止段部２３３ｄの上端に連続し、キャビネット本体１１の側板部１３から離間する方向に向かって斜め下方に延びるよう設けられている。
【００４７】
下部斜行部２３３ｆは、下部延長部２３３ｊの先端に連続し、キャビネット本体１１の側板部１３から離間する方向に向かって、上部斜行部２３３ｅと平行に斜め下方に延びるよう設けられている。
【００４８】
前端連結部２３３ｇは、上部斜行部２３３ｅの先端と下部斜行部２３３ｆの先端とを連結するよう設けられている。
【００４９】
袋体固定部材２３４は、軟質樹脂材料やゴム系材料などから形成されている。袋体固定部材２３４は、下部斜行部２３３ｆが挿入された筒状で、下部斜行部２３３ｆ周りに回動自在とされた筒状部２３４ａと、筒状部２３４ａから上部斜行部２３３ｅに向かって延びる延長部２３４ｂと、延長部２３４ｂの先端に設けられ、上部斜行部２３３ｅに着脱可能に係合する係合部２３４ｃと、を一体に備える。係合部２３４ｃは、例えば周方向の一部が切り欠かれた断面Ｃ字状で、その切り欠き部（図示無し）を通して係合部２３４ｃ内に上部斜行部２３３ｅをくわえ込むことで、上部斜行部２３３ｅに対して着脱可能に係合できるようになっている。
【００５０】
このような袋体係止部材２３０は、オプション係止部２３２を天板トレー２０の外周壁部２１に係止させ、ベース部２３１を天板トレー２０の外周壁部２１の外周面の垂下壁部２０ｃに沿わせて装着する。
そして、袋体係止部材２３０の両側において、それぞれ袋体固定部材２３４の係合部２３４ｃを上部斜行部２３３ｅから離脱させる（図５に示す二点鎖線参照）。この状態で、袋体３００を、幅方向両側の上部斜行部２３３ｅ，２３３ｅの間に配置する。次いで、袋体３００の開口縁部３００ａにおける幅方向両側縁３００ｂ，３００ｂを、上部斜行部２３３ｅ，２３３ｅの内方から外方に向けて折り返すことによって、上部斜行部２３３ｅに掛止させる。この後、袋体固定部材２３４の係合部２３４ｃを上部斜行部２３３ｅに係合させる（図５に示す実線参照）。これにより、袋体３００の幅方向両側縁３００ｂ，３００ｂが、袋体係止部材２３０によって係止され、袋体３００が開いた状態で保持される。この袋体３００内には、廃棄物等の物品を投入することができる。
【００５１】
上記したような収納キャビネット１０は、キャビネット本体１１内に、物品収容トレー１００等を用いて各種物品を収容することができる。また、キャビネット本体１１内に加え、天板トレー２０上にも物品を載せることができる。天板トレー２０は、外周壁部２１を備えているので、液体等を天板トレー２０上でこぼす等しても、キャビネット本体１１内に収容した物品にこぼれた液体がかかってしまうのを防ぐ。
さらに、収納キャビネット１０は、キャビネット本体１１の外側に、オプション部材２００として、収納ボックス２１０、物品掛止部材２２０、袋体係止部材２３０等を装着することによって、各種の物品をキャビネット本体１１の外部で保持することができる。
【００５２】
上述したような収納キャビネットによれば、キャビネット本体１１上に天板トレー２０を設けることで、キャビネット本体１１内に加え、天板トレー２０上にも物品を載せて保持することができる。しかも、天板トレー２０は、外周壁部２１を有しているので、天板トレー２０上から物品が落下するのを抑えることができる。
【００５３】
また、天板トレー２０の底部２０ａと外周壁部２１とを一体に形成することで、天板トレー２０上に液体が入った容器等を載せた場合、液体が零れたとしても、液体は底部２０ａ上で外周壁部２１の内側の領域にとどまり、キャビネット本体１１にこぼれ落ちるのを防止することができる。これにより、キャビネット本体１１内に収容した物品が、零れた液体によって汚れるのを防ぐことができる。
【００５４】
また、天板トレー２０の外周側に張り出すように、オプション部材２００として、収納ボックス２１０、物品掛止部材２２０、袋体係止部材２３０等が装着可能とされている。このように構成することで、キャビネット本体１１内と、天板トレー２０上に加え、天板トレー２０の外周側に装着したオプション部材２００のボックス部２１３，掛止部２２３，係止部２３３で物品を保持して運搬することが可能となる。これにより、収納キャビネット１０の外部に搭載して運搬できる物品の量を増大させることができる。
【００５５】
さらに、天板トレー２０は仕切部材３０を備えているので、天板トレー２０上において外周壁部２１に囲まれた空間を複数に仕切ることができ、天板トレー２０上に物品を載せる際に、仕切部材３０の仕切部３２の一方の側と他方の側とで物品を区分したり、仕切部材３０によって天板トレー２０上で物品がずれるのを抑えることができる。
また、仕切部材３０は天板トレー２０に対して着脱可能に構成されているため、天板トレー２０における所望の位置に仕切部材３０を装着することができる。
また、キャビネット本体１１内と天板トレー２０上とに物品を搭載することで、キャビネット本体１１の内部と外部とで物品を区分して運搬することが可能となる。
このようにして、収納キャビネット１０における物品搭載量を増大させるとともに、使い勝手を高めることが可能となる。
【００５６】
さらに、オプション部材２００は、オプション係止部２１２，２２２，２３２とボックス部２１３，掛止部２２３，係止部２３３との間に、ベース部２１１，２２１，２３１をさらに備える。
このように構成することで、オプション係止部２１２，２２２，２３２が天板トレー２０の外周壁部２１に係止されたオプション部材２００において、その下方でベース部２１１，２２１，２３１が天板トレー２０の外周壁部２１やキャビネット本体１１の外周面に突き当たる。ボックス部２１３，掛止部２２３，係止部２３３で保持した物品の荷重は、ベース部２１１，２２１，２３１を介して天板トレー２０の外周壁部２１やキャビネット本体１１の外周面で支持される。これにより、ボックス部２１３，掛止部２２３，係止部２３３で保持する物品を、より確実に保持することが可能となる。
【００５７】
また、キャビネット本体１１の内部に、物品を収容可能な物品収容トレー１００を保持するガイドレール１３ｇが、上下方向に間隔をあけて複数設けられている。
このように構成することで、収納キャビネット１０内に、物品を収容した物品収容トレー１００を収納することができる。
このような収納キャビネット１０においては、予め準備した物品は、物品収容トレー１００に収め、さらにこの物品収容トレー１００をキャビネット本体１１内に収容して、保管したり、物品の使用場所まで運搬するようにすることもできる。そして、使用場所等で回収した、使用済みの各種物品等は、天板トレー２０上や、収納ボックス２１０、物品掛止部材２２０、袋体係止部材２３０等のオプション部材２００で保持して運搬することもできる。このようにすれば、未使用の物品と、使用済みの物品を、キャビネット本体１１の内部と外部とで分別して運搬することができる。
【００５８】
（その他の実施形態）
なお、本発明の収納キャビネットは、図面を参照して説明した上述の各実施形態に限定されるものではなく、その技術的範囲において様々な変形例が考えられる。
例えば、上記実施形態では、仕切部材３０の仕切部３２によって、天板トレー２０の外周壁部２１内の空間を直線状に仕切るようにしたが、これに限らない。例えば、仕切部３２を平面視L字状とし、フック部３１，３１を、天板トレー２０の外周壁部２１において互いに隣接する二辺に係止させるようにしてもよい。
【００５９】
また、キャビネット本体１１の構成については、何ら限定するものではない。例えば、シャッター１７は省略してもよい。また、キャビネット本体１１の一側面に開口部１６を形成するようにしたが、互いに対向する二方向に開口部１６を形成しても良い。
また、仕切部材３０は、天板トレー２０の外周壁部２１の内方の空間を仕切ることができるのでれば、いかなる形状、構成であってもよい。
さらに、オプション部材２００として、収納ボックス２１０、物品掛止部材２２０、袋体係止部材２３０を例示したが、これ以外の構成、用途のものをオプション部材２００とすることもできる。
これ以外にも、本発明の主旨を逸脱しない限り、上記実施の形態で挙げた構成を取捨選択したり、他の構成に適宜変更したりすることが可能である。
【符号の説明】
【００６０】
１０  収納キャビネット（移動式収納キャビネット）
１１  キャビネット本体
１３  側板部
１３ｄ  外側面
１３ｇ  ガイドレール（トレー保持部）
１５  天板部（天面）
２０  天板トレー
２０ａ  底部
２０ｂ  立ち上がり壁部
２０ｃ  垂下壁部
２１  外周壁部
３０  仕切部材
３１  フック部
３２  仕切部
１００  物品収容トレー
２００  オプション部材
２１０  収納ボックス
２１１  ベース部
２１２  オプション係止部（係止部）
２１３  ボックス部（物品保持部）
２２０  物品掛止部材
２２１  ベース部
２２２  オプション係止部（係止部）
２２３  掛止部（物品保持部）
２３０  袋体係止部材
２３１  ベース部
２３２  オプション係止部（係止部）
２３３  係止部（物品保持部）
２３４  袋体固定部材
【図１】
2016087018.tif 000003
【図２】
2016087018.tif 000004
【図３】
2016087018.tif 000005
【図４】
2016087018.tif 000006
【図５】
2016087018.tif 000007